(57)【要約】【課題】無線のＶｏＩＰ端末のように移動しながら端末を使用する場合、人通りが多い場所においてＩＰアドレスが一時的に大量に取得されＩＰアドレスが枯渇する可能性がある。【解決手段】割り当て可能な通信アドレスを選択する通信アドレス選択手段と、この通信アドレスを所定の有効期間設定し前記クライアントに割り当てる通信アドレス割り当て手段と、所定の条件に基づいて前記有効期間を決定する有効期間決定手段とを備えた通信アドレス管理装置であって、割り当て済みのアドレス数など、管理する情報を基に有効期間を決定し、効率よくアドレス回収・再割り当てを行なう。【選択図】図１
2006345138.tif 000002
【特許請求の範囲】
【請求項１】
ネットワークに接続する端末に、通信アドレスなどネットワーク接続に必要な情報を割り当てる通信アドレス管理装置であって、
ネットワーク上のクライアントから前記通信アドレスの割り当てを要求されると、予め登録されている複数の前記通信アドレスの中から他のどのクライアントにも未だ割り当てていない前記通信アドレスを選択し、前記選択した通信アドレスを所定の有効期間を設定した上で前記クライアントに割り当てる通信アドレス割り当て手段と、
所定の条件に基づいて前記有効期間を決定する有効期間決定手段とを備えることを特徴とする、通信アドレス管理装置。
【請求項２】
前記有効期間決定手段は、少なくとも割り当て済の通信アドレス数、または割り当て可能な通信アドレス数の現在値を用いて前記有効期間を決定することを特徴とする、
請求項１に記載の通信アドレス管理装置。
【請求項３】
前記有効期間決定手段は、少なくとも割り当て済の通信アドレス数、または割り当て可能な通信アドレス数の過去からの所定の統計値を用いて前記有効期間を決定することを特徴とする、
請求項１に記載の通信アドレス管理装置。
【請求項４】
前記有効期間決定手段は、前記各クライアントが自身に割り当てられたアドレスを、前記有効期間を超えて使用することを要求するために前記通信アドレス管理装置に対して送信するアドレス延長要求を発生するタイミングを把握し、複数の前記クライアントから同時に前記アドレス延長要求の送信が発生しないように前記有効期間を決定することを特徴とする、請求項１に記載の通信アドレス管理装置。
【請求項５】
前記有効期間決定手段は、起動時に設定された割り当て可能な通信アドレスの数に応じて前記有効期間を決定することを特徴とする、
請求項１に記載の通信アドレス管理装置。
【請求項６】
前記有効期間決定手段は、ユーザによって登録されたスケジュールに応じて前記有効期間を決定することを特徴とする、
請求項１に記載の通信アドレス管理装置。
【請求項７】
前記クライアントから前記アドレス延長要求を受信すると、
所定の条件に基づいて延長する前記有効期間を決定する延長有効期間決定手段を更に備えることを特徴とする、
請求項１に記載の通信アドレス管理装置。
【請求項８】
前記延長有効期間決定手段は、少なくとも割り当て済の通信アドレス数、または割り当て可能な通信アドレス数の現在値を用いて延長する前記有効期間を決定することを特徴とする、
請求項７に記載の通信アドレス管理装置。
【請求項９】
前記延長有効期間決定手段は、少なくとも割り当て済の通信アドレス数、または割り当て可能な通信アドレス数の過去からの所定の統計値を用いて延長する前記有効期間を決定することを特徴とする、
請求項７に記載の通信アドレス管理装置。
【請求項１０】
前記延長有効期間決定手段は、要求のあった通信アドレスの過去からのアドレス延長要求の回数の統計値を用いて延長する前記有効期間を決定することを特徴とする、
請求項７に記載の通信アドレス管理装置。
【請求項１１】
前記延長有効期間決定手段は、各クライアントがアドレス延長要求を発生するタイミングを把握し、複数の前記クライアントから同時に前記アドレス延長要求の送信が発生しないように延長する前記有効期間を決定することを特徴とする、請求項７に記載の通信アドレス管理装置。
【請求項１２】
前記延長有効期間決定手段は、ユーザによって登録されたスケジュールに応じて延長する前記有効期間を決定することを特徴とする、
請求項７に記載の通信アドレス管理装置。
【請求項１３】
ネットワークに接続する端末に、通信アドレスなどネットワーク接続に必要な情報を割り当てる通信アドレス管理方法であって、
ネットワーク上のクライアントから前記通信アドレスの割り当てを要求されると、予め登録されている複数の前記通信アドレスの中から他のどのクライアントにも未だ割り当てていない前記通信アドレスを選択し、前記選択した通信アドレスを所定の有効期間を設定した上で前記クライアントに割り当てるステップと、
所定の条件に基づいて前記有効期間を決定するステップとを有することを特徴とする、通信アドレス管理方法。
【発明の詳細な説明】
【技術分野】
【０００１】
本発明は、ＬＡＮ等のネットワークを用いたシステムの通信アドレス管理装置に関し、特にアドレス管理装置が動的に通信端末に通信アドレスを割り当てる通信アドレス管理装置に関するものである。
【背景技術】
【０００２】
通常、ＩＰアドレスは、ＤＨＣＰ（ｄｙｎａｍｉｃ ｈｏｓｔ ｃｏｎｆｉｇｕｒａｔｉｏｎ ｐｒｏｔｏｃｏｌ）サーバによって割り当てられる（リースされる）。このＩＰアドレス割り当ての際に、ＤＨＣＰサーバは一定時間の有効期間（リース期間）を設けることで、定期的にＩＰアドレスを回収・再割り当てしている。この有効期間が経過する前に、ＤＨＣＰクライアントは現在割り当てられているＩＰアドレスの使用の延長をＤＨＣＰサーバに要求するか或いは、ＩＰアドレスを破棄し再びＤＨＣＰサーバにアドレスの再割り当てを要求する。また、クライアントは有効期間満了前に利用を終了し、割り当てられたＩＰアドレスを返却（リリース）することも可能である。これらの機能により、常に必要最小限度のＩＰアドレスでの運用が可能になる。しかし、クライアントはシャットダウン時にＩＰアドレスをリリースしない場合もあり、この結果多くのＩＰアドレスがリースされたままで、ＩＰアドレスが足りなくなってしまうことがある。特に、リリースが行われずにネットワークから離れるホストが多いモバイル環境などに多く見受けられ、無線のＶｏＩＰ端末のように移動しながら端末を使用すると、人通りが多い場所ではＩＰアドレスが一時的に大量に取得され、しかもＩＰアドレスをリリースしないで端末が通信エリアを離れてしまう。このため、ＩＰアドレス不足が発生する可能性があるという課題がある。また、これを回避するために単純に全てのクライアントに対し短い有効期間を割り当てると、ＤＨＣＰアクセスが頻繁に起こるという不都合もあった。
【０００３】
このようなＩＰアドレスの不足を防止するアドレス管理方式としては、複数のＬＡＮ端末からの要求に応答して、車輌の在線時間を基に有効期間を指定したＩＰアドレスを割り付けるものがあった（例えば、特許文献１参照）。図２は、前記特許文献１に記載された従来のＩＰアドレス管理方式を示すものである。
【０００４】
図２において、車輌内ＬＡＮシステムを備えた鉄道車輌である移動局１０と、車輌内ＬＡＮシステムを構成する複数のＬＡＮ端末１２のＩＰアドレスを管理するＤＨＣＰサーバ４３と、列車の在線時間を含む運行状態を管理するＴＴＣＳ４２とを有する地上局３０とを無線回線で接続し、移動局の複数のＬＡＮ端末からのＩＰアドレス設定要求に対し、基地局３０のＤＨＣＰサーバ４３はＴＣＣＳ４２が管理する当該列車の在線時間情報を基にＩＰアドレス有効期間を指定したＩＰアドレスを設定して移動局の複数のＬＡＮ端末へ通知し、ＩＰアドレスを有効に利用していた。
【特許文献１】特許第３０１７１２１号公報（第７頁、図１）
【発明の開示】
【発明が解決しようとする課題】
【０００５】
しかしながら、前記従来の構成では、端末がＩＰアドレスを使用する時間を把握できていることが前提であり、自由に移動しながら端末を使用できる環境ではＩＰアドレスを使用する時間を特定できないため有効期間を指定できないという課題を有していた。
【０００６】
また、有効期間はクライアント側から提案するためクライアントが嘘の要求をしてきたとしても受け入れてしまい、全てのクライアントに対し長い有効期間を与えてしまう可能性も有していた。
【０００７】
本発明は、前記従来の課題を解決するもので、通信アドレス管理装置が管理する情報を基に有効期間を決定し、効率よくアドレス回収・再割り当てを行なう手段を提供することを目的とする。
【課題を解決するための手段】
【０００８】
前記従来の課題を解決するために、本発明の請求項１に係る通信アドレス管理装置は、ネットワークに接続する端末に、通信アドレスなどネットワーク接続に必要な情報を割り当てる通信アドレス管理装置であって、ネットワーク上のクライアントからネットワーク上での通信に用いるアドレスの割り当てを要求されると、予め登録されている複数の通信アドレスの中から他のどのクライアントにも未だ割り当てていない通信アドレスを選択し、選択した通信アドレスを所定の有効期間を設定した上で前記クライアントに割り当てる通信アドレス割り当て手段と、所定の条件に基づいて前記有効期間を決定する有効期間決定手段とを有し、状況に応じて有効期間を柔軟に決定することができる。
【０００９】
本構成によって、配布するアドレスの有効期間を変更できることから効率よくアドレスを回収および再割り当てすることが可能であり、自由に移動しながら端末を使用できる環境においても通信アドレスが不足する可能性を低減することができる。
【００１０】
本発明の請求項２に係る通信アドレス管理装置は、請求項１に記載の通信アドレス管理装置であって、有効期間決定手段は、少なくとも割り当て済の通信アドレス数、または割り当て可能な通信アドレス数の現在値を用いて有効期間を決定する。
【００１１】
本構成によって、現在の通信アドレス割り当て状況に従ってその都度有効期間を決定することができ、効率よく通信アドレスを回収することができる。
【００１２】
本発明の請求項３に係る通信アドレス管理装置は、請求項１に記載の通信アドレス管理装置であって、少なくとも割り当て済の通信アドレス数、または割り当て可能な通信アドレスの数の過去からの所定の統計値を用いて有効期間を決定する。
【００１３】
本構成によって、過去からの所定の統計値を用いてこの先の通信アドレスの割り当て状況を予測し、先を見越して有効期間を決定することができ、通信アドレスが不足する状況を事前に防止することができる。
【００１４】
本発明の請求項４に係る通信アドレス管理装置は、請求項１に記載の通信アドレス管理装置であって、有効期間決定手段は、各クライアントが自身に割り当てられたアドレスを、前記有効期間を超えて使用することを要求するために前記通信アドレス管理装置に対して送信するアドレス延長要求を発生するタイミングを把握し、複数のクライアントからのアドレス延長要求の送信タイミングの衝突を避けて有効期間を決定する。
【００１５】
本構成によって、各クライアントのアドレス延長要求の発生するタイミングが衝突しないように有効期間を決定することができ、通信アドレス管理装置へのアクセスが同時、または頻繁に発生する可能性を軽減できる。
【００１６】
本発明の請求項５に係る通信アドレス管理装置は、請求項１に記載の通信アドレス管理装置であって、有効期間決定手段は、起動時に設定された割り当て可能な通信アドレス数に応じて有効期間を決定する。
【００１７】
本構成によって、システム規模に応じて有効期間を決定することができ、複雑なプログラムを搭載できない機器においても通信アドレスが不足する状況を防止することができる。
【００１８】
本発明の請求項６に係る通信アドレス管理装置は、請求項１に記載の通信アドレス管理装置であって、有効期間決定手段は、ユーザによって登録されたスケジュールに応じて有効期間を決定する。
【００１９】
本構成によって、スケジュールに応じて通信アドレス使用状況および使用時間を予測して有効期間を決定することができ、効率よく通信アドレスを割り当て・回収し、通信アドレスが不足する状況を事前に防止することができる。
【００２０】
本発明の請求項７に係る通信アドレス管理装置は、請求項１に記載の通信アドレス管理装置であって、クライアントからアドレス延長要求を受信すると、所定の条件に基づいて延長する有効期間を決定する延長有効期間決定手段をさらに有し、アドレス延長時にも延長する有効期間を柔軟に決定することができる。
【００２１】
本構成によって、無駄に長時間延長する可能性を軽減し、通信アドレスが不足する可能性を低減することができる。
【００２２】
本発明の請求項８に係る通信アドレス管理装置は、請求項７に記載の通信アドレス管理装置であって、延長有効期間決定手段は、少なくとも割り当て済の通信アドレス数、または割り当て可能な通信アドレス数の現在値を用いて延長する有効期間を決定する。
【００２３】
本構成によって、現在の通信アドレス割り当て状況に従ってその都度延長する有効期間を決定することができ、効率よく通信アドレスを回収することができる。
【００２４】
本発明の請求項９に係る通信アドレス管理装置は、請求項７に記載の通信アドレス管理装置であって、延長有効期間決定手段は、少なくとも割り当て済の通信アドレス数、または割り当て可能な通信アドレスの数の過去からの所定の統計値を用いて延長する有効期間を決定する。
【００２５】
本構成によって、過去からの所定の統計値を用いてこの先の通信アドレスの割り当て状況を予測し、先を見越して延長する有効期間を決定することができ、通信アドレスが不足する状況を防止することができる。
【００２６】
本発明の請求項１０に係る通信アドレス管理装置は、請求項７に記載の通信アドレス管理装置であって、延長有効期間決定手段は、アドレス延長要求のあった通信アドレスに対する過去からのアドレス延長要求の回数の統計値を用いて延長する有効期間を決定する。
【００２７】
本構成によって、通信アドレスの延長要求の回数の多少、つまり連続使用時間の長短に応じて延長する有効期間を決定することができ、アドレス延長要求による通信アドレス管理装置への無駄なアクセスを軽減することができ、また効率よく通信アドレスを回収することができる。
【００２８】
本発明の請求項１１に係る通信アドレス管理装置は、請求項７に記載の通信アドレス管理装置であって、延長有効期間決定手段は、各クライアントがアドレス延長要求を発生するタイミングを把握し、複数のクライアントからのアドレス延長要求の送信タイミングの衝突を避けて延長する有効期間を決定する。
【００２９】
本構成によって、各クライアントのアドレス延長要求の発生するタイミングが衝突しないように延長する有効期間を決定することができ、通信アドレス管理装置へのアクセスが同時、または頻繁に発生する可能性を軽減できる。
【００３０】
本発明の請求項１２に係る通信アドレス管理装置は、請求項７に記載の通信アドレス管理装置であって、延長有効期間決定手段は、ユーザによって登録されたスケジュールに応じて延長する有効期間を決定する。
【００３１】
本構成によって、スケジュールに応じて通信アドレス使用状況および使用時間を予測して延長する有効期間を決定することができ、効率よく通信アドレスを割り当て・回収し、通信アドレスが不足する状況を事前に防止することができる。
【００３２】
本発明の請求項１３に係る通信アドレス管理方法は、ネットワークに接続する端末に、通信アドレスなどネットワーク接続に必要な情報を割り当てる通信アドレス管理方法であって、ネットワーク上のクライアントから前記通信アドレスの割り当てを要求されると、予め登録されている複数の前記通信アドレスの中から他のどのクライアントにも未だ割り当てていない前記通信アドレスを選択し、前記選択した通信アドレスを所定の有効期間を設定した上で前記クライアントに割り当てるステップと、所定の条件に基づいて前記有効期間を決定するステップとを有する。
【００３３】
本構成によって、配布するアドレスの有効期間を変更できることから効率よくアドレスを回収および再割り当てすることが可能であり、自由に移動しながら端末を使用できる環境においても通信アドレスが不足する可能性を低減することができる。
【発明の効果】
【００３４】
本発明の通信アドレス管理装置によれば、状況に応じて割り当てる通信アドレスの有効期間を柔軟に決定することで、自由に移動しながら端末を使用できる環境においても効率よく通信アドレスの回収・再割り当てができ、通信アドレスが不足する可能性を軽減することができる。
【発明を実施するための最良の形態】
【００３５】
以下本発明の実施の形態について、図面を参照しながら説明する。
【００３６】
（実施の形態１）
図１は、本発明の実施の形態１における通信アドレス管理装置が適用されるネットワーク構成例を示す図である。図１では、通信アドレス管理装置としてＤＨＣＰサー１００、クライアント１０１、１０２、１０３、１０４、１０５としてＶｏＩＰ端末を想定しており、１０６はＡＰを示す。本実施の形態では、通信に使用するネットワークはＩＰネットワークであるが、ＩＰ以外のプロトコルを用いたネットワークであってもよい。また、ネットワークの伝送方法は、典型的にはＥｔｈｅｒｎｅｔ（登録商標）や無線ＬＡＮであるが、ＰＬＣ（ＰｏｗｅｒＬｉｎｅ Ｃｏｍｍｕｎｉｃａｔｉｏｎ）などの他の伝送方法であってもよい。なお、図１では、５台のＶｏＩＰ端末がネットワークに接続されるとしているが、４台以下のＶｏＩＰ端末がネットワークに接続されるとしてもよいし、６台以上のＶｏＩＰ端末がネットワークに接続されるとしてもよく本特許を実装するＤＨＣＰサーバの仕様に従うものとする。
【００３７】
図３は、本発明の実施の形態１が採用されるＤＨＣＰサーバ１００のハードウェア構成を示すブロック図である。
【００３８】
図３において、ＤＨＣＰサーバ１００は、ＣＰＵ３０１、揮発性メモリ３０２、不揮発性メモリ３０３、通信部３０４によって構成されている。
【００３９】
不揮発性メモリ３０３には、本発明を実施するためのプログラムと構成情報（ＩＰアドレス、各種の設定情報など）とが格納されている。プログラムは、ＣＰＵ３０１によって実行され、従来のＤＨＣＰサーバ１００の処理に加えて、所定の条件に応じて、ＩＰアドレスの有効期間を決定しＩＰアドレスを割り当てる処理およびアドレス延長要求に対して有効期間を延長する処理を行う。通信部３０４は、ＣＰＵ３０１とモデム等の通信端末とによって構成され、ネットワークを介してＶｏＩＰ端末とパケットの送受信を行う。
【００４０】
図４は、揮発性メモリ３０２が管理するＩＰアドレスに関するテーブルの構成を模式的に示す図である。なお、本実施の形態では該テーブルは揮発性メモリ３０２がもつとして説明するが、不揮発性メモリ３０３がもってもよい。
【００４１】
ＤＨＣＰサーバ１００は、ＩＰアドレスの割り当てに関する情報をＩＰアドレス毎に管理しており、その管理情報は、クライアントＩＤ（ＭＡＣアドレスなど）、ＩＰアドレス、ＩＰアドレスの割り当て状態、割り当ての有効期限（リース期間）、アドレス延長回数を含む。ＩＰアドレスの割り当て状態は現在そのＩＰアドレスが端末に割り当てられているか否かを示す。割り当ての有効期限はそのＩＰアドレスを割り当てられた端末がアドレスを使用することが可能な有効期限を示す。また、アドレス延長回数はそのＩＰアドレスの有効期限が何度延長されたかを示し、初期値は”０”でアドレスを延長する度にカウントアップされる。図４の例は、ＡＤＤＲ１をＶｏＩＰ端末１０１に割り当て、残り４つのＩＰアドレスが割り当て可能な状態である。なお、ＩＰアドレス数は制限されており、図４の例では５つとしているが、本特許を実装するＤＨＣＰサーバの仕様に従うものとし、それ以上でもそれ以下でもよい。また、この他に管理すべき情報がある場合は、同様にこのテーブルで管理してもよい。以降、この管理情報の組をエントリと呼ぶことにする。また、このテーブルをアドレス管理テーブルと呼ぶ。なお、ＩＰアドレスの有効期限が切れたエントリについては、アドレス管理テーブルからエントリを削除してもよいし、一定期間登録したままでもよい。ここでは規定せず本特許を実装するＤＨＣＰサーバの仕様に従うものとする。
【００４２】
図５は、本発明の実施の形態１が採用されるＤＨＣＰサーバ１００の機能構成を示すブロック図である。
【００４３】
ここで、ＤＨＣＰサーバ１００は、記憶部５０１と、アドレス割り当て処理部５０２と、有効期間設定部５０３と、送信部５０４と、受信部５０５とを備える。以下、ＤＨＣＰサーバ１００の各部の詳細について説明する。
【００４４】
記憶部５０１はアドレス管理テーブル５０７を格納する。
【００４５】
受信部５０５は、クライアントからパケットを受信すると、受信したパケットがアドレス割り当て要求（ＤＨＣＰ ＲＥＱＵＥＳＴ）のパケットか、アドレス延長要求（ＤＨＣＰ ＲＥＱＵＥＳＴ）のパケットか、それ以外のパケットかを判断する。なお、アドレス割り当て要求は、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）で規定されているＤＨＣＰプロトコルであるＲＦＣ２１３１における選択中（ｓｅｌｅｃｔｉｎｇ）状態からの要求であり、アドレス延長要求はＲＦＣ２１３１における延長（ｒｅｎｅｗｉｎｇ）、再割り当て（ｒｅｂｉｎｄｉｎｇ）再／初期化（Ｉｎｉｔ−ＲＥＢＯＯＴ）状態からの要求のいずれかである。受信したパケットが、アドレス割り当て要求のパケットでもアドレス延長要求のパケットでもない場合は、パケットの要求に適切な処理を実行する処理部（図示せず）にパケットを渡し次のパケットを待つ。受信したパケットがアドレス割り当て要求のパケットであった場合は、アドレス割り当て処理部５０２に受信したパケットを渡す。パケットを受け取ったアドレス割り当て処理部５０２は、記憶部５０１に格納されているアドレス管理テーブル５０７を参照し、割り当て可能なＩＰアドレスが存在するか否かを判断する。既に他の機器に使用されているなどで割り当て可能なアドレスが存在しない場合は、送信部５０４にアドレス割り当て拒否メッセージ（ＤＨＣＰＮＡＣＫ）を送信するよう指示する。割り当て可能なアドレスが存在する場合は、有効期間設定部５０３に有効期間設定を指示し、有効期間設定部５０３は、所定の条件に基づいて有効期間を設定し、アドレス割り当て処理部５０２に設定した有効期間を通知する。アドレス割り当て処理部５０２は、有効期間設定部５０３から有効期間を受け取ると、記憶部５０１のアドレス管理テーブル５０７に有効期間を登録し、送信部５０４に割り当て完了通知パケット（ＤＨＣＰＡＣＫ）を送信するよう指示する。一方、受信したパケットがアドレス延長要求のパケットであった場合は、受信部５０５は受信したパケットをアドレス割り当て処理部５０２に渡し、アドレス割り当て処理部５０２は、有効期間設定部５０３に延長する有効期間の設定を指示する。有効期間設定部５０３は延長する有効期間の設定指示を受けると、所定の条件に基づいて有効期間を設定し、アドレス割り当て処理部５０２に設定した有効期間を通知する。アドレス割り当て処理部５０２は、有効期間設定部５０３から有効期間を受け取ると、記憶部５０１のアドレス管理テーブル５０７の有効期間を更新しアドレス延長回数をカウントアップして、送信部５０４にアドレス延長要求のあったクライアントにアドレス延長完了通知パケット（ＤＨＣＰＡＣＫ）を送信するよう指示する。送信部５０４は、アドレス割り当て処理部５０２から送信要求されたパケットを送信する。
【００４６】
図６は本発明の実施の形態１におけるＤＨＣＰサーバ１００のＩＰアドレス割り当てに関する制御フローチャートである。
【００４７】
受信部５０５はクライアントからのアドレス割り当て要求を受け取ったか否かを判断する（ステップＳ６０１）。アドレス割り当て要求を受け取った場合、割り当て可能なＩＰアドレスに有効期間を設定してクライアントに割り当てる（ステップＳ６０２）。ステップＳ６０２における処理を通信アドレス割り当て処理という。
【００４８】
図７は、通信アドレス割り当て処理（ステップＳ６０２）におけるＤＨＣＰサーバ１００の動作を示すフローチャート、図８は、有効期間設定処理（ステップＳ７０３）におけるＤＨＣＰサーバ１００の動作を示すフローチャートである。通信アドレス割り当て処理は、アドレス割り当て処理部５０２が、クライアントに割り当て可能な通信アドレスを選択し、選択した通信アドレスを所定の有効期間を設定した上で前記クライアントに割り当てる通信アドレス割り当て処理であって、有効期間は有効期間設定部５０３による有効期間設定処理により設定される。
【００４９】
まず、アドレス割り当て処理部５０２は、登録されているＩＰアドレスの中で現在割り当て可能なＩＰアドレスがあるかどうか記憶部５０１に格納されているアドレス管理テーブル５０７を検索する（ステップＳ７０１）。割り当て可能なＩＰアドレスが存在しない場合は、クライアントからのアドレス割り当て要求を拒絶し、ステップＳ６０１の動作に戻る（ステップＳ７０２）。割り当て可能なＩＰアドレスが存在する場合は、有効期間設定部５０３により有効期間設定処理を行う（ステップＳ７０３）。有効期間設定部５０３は、すでに割り当て済みのＩＰアドレス数を予め定められた変更閾値と比較し（ステップＳ８０１）、変更閾値の範囲内であれば割り当て可能なＩＰアドレスにデフォルトの有効期間を設定する（ステップＳ８０２）。一方変更閾値以上の場合は、有効期間をデフォルト値から変更する（ステップＳ８０３）。有効期間が設定されると、アドレス割り当て処理部５０２は送信部５０４を介してアドレス割り当て要求のあったクライアントに設定された有効期間付きでアドレスを割り当てる（ステップＳ７０４）。
【００５０】
一方、ステップＳ６０１において、受け取った要求がアドレス割り当て要求ではなかった場合、アドレス延長要求か否かを判断する（ステップＳ６０３）。アドレス延長要求を受け取った場合、延長要求のあったＩＰアドレスに有効期間を設定してクライアントに割り当てる（ステップＳ６０４）。ステップＳ６０４における処理を有効期間延長処理という。
【００５１】
図９は、有効期間延長処理（ステップＳ６０４）におけるＤＨＣＰサーバ１００の動作を示すフローチャートである。
【００５２】
まず、有効期間設定部５０３は、すでに割り当て済みのＩＰアドレス数を予め定められた変更閾値と比較する（ステップＳ９０１）。変更閾値とは新規に割り当てるＩＰアドレスに対して有効期間をデフォルト値から変更するか否かもしくは延長する有効期間を前回の有効期間から変更するか否かを判断する閾値である。変更閾値の範囲内であれば前回と同じ有効期間を設定する（ステップＳ９０２）。一方変更閾値以上の場合は、要求のあったＩＰアドレスのアドレス延長回数を予め定められた延長閾値と比較する（ステップＳ９０３）。延長閾値とは、アドレスの連続使用歴により延長する有効期間を変更するか否かを判断する閾値である。延長閾値の範囲内であれば前回と同じ有効期間を設定する（ステップＳ９０２）。一方延長閾値以上の場合は、有効期間を変更する（ステップＳ９０４）。延長する有効期間が設定されると、アドレス割り当て処理部５０２は送信部５０４を介してアドレス割り当て要求のあったクライアントに設定された有効期間付きでアドレスを割り当て、記憶部５０１に格納されているアドレス管理テーブルのアドレス延長回数をカウントアップする（ステップＳ９０５）。
【００５３】
また、ステップＳ６０３において、受け取った要求がアドレス延長要求ではなかった場合は、該当する処理を行ないステップＳ６０１の動作に戻る（ステップＳ６０５）。
【００５４】
以下、このような環境において、割り当て可能なＩＰアドレス数を５、変更閾値を１、延長閾値を３、アドレス割り当ての有効期間のデフォルト値を６０ｍｉｎとして、割り当て済みのＩＰアドレス数が変更閾値１を越えると割り当て時の有効期間をデフォルト値から変更し、アドレス延長要求の回数が延長閾値３より少ないと延長する有効期間を前回の有効期間から変更するものとして、ＤＨＣＰサーバ１００がどのように動作するかを以下に説明する。
【００５５】
図４のアドレス管理テーブルの状態において、ＤＨＣＰサーバ１００は、ＶｏＩＰ端末１０２からアドレス割り当て要求を受けると、割り当て可能なＩＰアドレスがあるか記憶部５０１に格納されているアドレス管理テーブル５０７を検索する。割り当て可能なＩＰアドレスが存在するので現在の割り当て済みＩＰアドレス数と変更閾値（ここでは１つ）とを比較する。現在の割り当て済みＩＰアドレス数はアドレス管理テーブルより１であるので、変更閾値の範囲内であり有効期間を変更する必要はない。よって、デフォルトの有効期間（６０ｍｉｎ）を設定してＶｏＩＰ端末１０２にＩＰアドレスＡＤＤＲ２を割り当てる。
【００５６】
次にＤＨＣＰサーバ１００は、ＶｏＩＰ端末１０３からアドレス割り当て要求を受けると、同様に割り当て可能なＩＰアドレスがあるか記憶部５０１に格納されているアドレス管理テーブル５０７を検索し、現在の割り当て済みＩＰアドレス数と変更閾値とを比較する。現在の割り当て済みＩＰアドレス数はアドレス管理テーブルより２であり変更閾値を越えているため、有効期間を変更して（４０ｍｉｎ）設定し、ＶｏＩＰ端末１０３にＩＰアドレスＡＤＤＲ３を割り当てる。
【００５７】
図１０は、前述の処理でＶｏＩＰ端末１０３までＩＰアドレスが割り当てられている状態である。
【００５８】
ＤＨＣＰサーバ１００は、ＶｏＩＰ端末１０１からアドレス延長要求を受けると、現在の割り当て済みＩＰアドレス数と変更閾値（ここでは１つ）とを比較する。現在の割り当て済みＩＰアドレス数はアドレス管理テーブルより３であり変更閾値を超えているため、次にＶｏＩＰ端末１０１に割り当てられているＡＤＤＲ１に対するアドレス延長回数と延長閾値（ここでは３回）とを比較する。ＡＤＤＲ１に対するアドレス延長回数はアドレス管理テーブルより３であるので、延長閾値の範囲内であり延長有効期間を変更する必要はない。よって、前回と同じ有効期間（ここでは６０ｍｉｎ）を設定してＩＰアドレス延長を許可し、アドレス管理テーブルのアドレス延長回数をカウントアップする。
【００５９】
次に、ＤＨＣＰサーバ１００は、ＶｏＩＰ端末１０３からアドレス延長要求を受けると、同様に現在の割り当て済みＩＰアドレス数と変更閾値とを比較し、現在の割り当て済みＩＰアドレス数はアドレス管理テーブルより３であり変更閾値を越えているため、次にＡＤＤＲ３に対するアドレス延長回数と延長閾値とを比較する。ＡＤＤＲ３に対するアドレス延長回数はアドレス管理テーブルより０であり延長閾値より小さいため、前回と有効期間を変更して（３０ｍｉｎ）設定してＩＰアドレス延長を許可し、アドレス管理テーブルのアドレス延長回数をカウントアップする。
【００６０】
なお、本実施の形態では、クライアントの要求する有効時間について触れていないが、クライアントの要求する有効時間が、本実施の形態により設定した有効時間よりも小さい値であれば、クライアントの要求する有効時間を設定してもよい。
【００６１】
かかる構成によれば所定の条件に基づいて有効期間を決定してＩＰアドレスを割り当てることにより、状況に応じて有効期間を柔軟に変化させることができ、自由に移動しながら端末を使用できる環境においてもＩＰアドレスの回収ができないためにＩＰアドレスが不足する可能性を軽減することができる。
【００６２】
また、所定の条件に基づいて延長する有効期間を変更してＩＰアドレスを割り当てることにより、連続した使用時間の長いＩＰアドレスに関しては有効期間を長く割り当てることができ、ＩＰアドレスの回収の効率化を高めると共に無駄なＤＨＣＰアクセスを軽減することができる。
【００６３】
なお、本実施の形態において、アドレスはＩＰアドレスとして説明したが、ネットワークに接続するために必要な通信アドレスでよく、特に規定しない。
【００６４】
また、変更閾値と比較するのは割り当て済みのＩＰアドレス数として説明したが、割り当て可能なＩＰアドレス数と比較してもよい。
【００６５】
また、変更閾値を１として説明したが、それ以上でもそれ以下でもよく、ここでは特に規定しない。ただし、変更閾値を“０”とした場合は、アドレスを割り当てる都度有効期間を変更することになる。
【００６６】
また、変更閾値と割り当て済みのＩＰアドレス数の現在値を比較して有効期間を決定するとして説明したが、変更閾値を設けず、都度割り当て済みのＩＰアドレス数または割り当て可能なＩＰアドレス数の現在値と本発明を実装するＤＨＣＰサーバの仕様で定められた割り当て可能なアドレス数とを比較してもよい。
【００６７】
また、変更閾値を超えると有効期間を変更するとして説明したが、有効期間の変更率については、環境（固定端末が多い場所、通常のオフィス、人の出入りが多い場所）に応じて変更することや、単純に有効期間のデフォルト値の何％かと決めておくことなど考えられるが、ここでは特に規定しない。
【００６８】
また、アドレス管理テーブルでアドレス割り当て時に与えられた初期有効期間を管理し、現在の有効期間（残り時間）と比較して各クライアントがアドレス延長要求を発生させるであろう時刻を把握することで、有効期間を決定する際に他のクライアントからのアドレス延長要求に重ならないように、即ち、複数のクライアントからアドレス延長要求が同時に発生しないように調整することも可能である。これにより他のクライアントからのアドレス延長要求と該クライアントのアドレス延長要求が重ならないように有効期間を決定することができ、同時にサーバへのアクセスが発生する可能性を軽減できる。
【００６９】
なお、アドレス管理テーブルでアドレスを割り当てた時刻およびアドレスの延長使用を許可した時刻と、アドレスの有効時刻を管理することで各クライアントがアドレス延長要求を発生させるであろう時刻を把握することも可能である。
【００７０】
また、有効期間はアドレス割り当て要求を受けると都度変更するとして説明したが、ＤＨＣＰサーバ起動時に設定された割り当て可能なＩＰアドレス数に応じて一意に定めてもよい。これにより、システム規模に応じて有効期間を決定することができ、複雑なプログラムを搭載できない機器においても通信アドレスが不足する状況を防止することができる。
【００７１】
また、延長閾値を３として説明したが、それ以上でもそれ以下でもよく、ここでは特に規定しない。
【００７２】
また、延長する有効期間について変更値以下の場合は延長期間を短縮するとして説明したが、延長してもよい。その再の延長率および短縮率については、ここでは特に規定しない。
【００７３】
また、アドレス延長回数と変更閾値とを比較して、延長する有効期間を決定するとして説明したが、延長回数だけでなく、前回の有効期間の大小を考慮して有効期間を決定してもよい。これにより、前回の有効期間が短いがために頻繁に延長が発生する現象を軽減できる。
【００７４】
（実施の形態２）
次に、本発明の実施の形態２について説明する。
【００７５】
前述した実施の形態１では、割り当て済みＩＰアドレス数または割り当て可能なＩＰアドレス数の現在値を用いてＩＰアドレスの有効期間および延長する有効期間を決定するように構成している。これに対し、実施の形態２では、割り当て済みＩＰアドレス数または割り当て可能なＩＰアドレス数の過去からの統計値を用いてＩＰアドレスの有効期間および延長する有効期間を決定することを可能とする。
【００７６】
図１１は、本発明の実施の形態２が採用されるＤＨＣＰサーバ１００の機能構成を示すブロック図である。図１１に示す機能ブロック図は、図５に示す機能ブロック図と比較し、記憶部５０１に統計情報１１０１および時間帯別有効期間テーブル１１０２を備えている点で相違する。その他の構成要素は、図５と同様であるため、図５と同様の構成要素には同一の符号を付し、詳細な説明は省略する。
【００７７】
図１２に本発明の実施の形態２における揮発性メモリ３０２がもつ統計情報１１０１の例を示す。図１２では、アドレスの割り当て要求受信回数の月別統計、曜日別統計、時間帯別統計情報の例を示している。なお、図１１の例では、ＤＨＣＰサーバ１００は３種類の統計情報を取得しているが、統計情報は他にも機器別（ＭＡＣアドレス別）統計や日別統計なども考えられ、この３種類に限定されるものではなく、管理する統計情報の数も３つに限られるものではない。ＤＨＣＰサーバの管理する統計情報の数・種類および統計の取り方については本発明を実装するＤＨＣＰサーバの仕様に従うものとする。なお、本実施の形態では統計情報１１０１は揮発性メモリ３０２がもつとして説明するが、不揮発性メモリ３０３がもってもよい。
【００７８】
有効期間設定部５０３は、アドレス割り当て処理部５０２から有効期間設定指示を受けると、記憶部５０１にその日一日の時間帯別の有効期間を定めた時間帯別有効期間テーブル１１０２が存在するか否かを判断する。存在しなかった場合は、記憶部５０１に格納されている統計情報１１０１を参照し、その日一日の時間帯別のアドレス割り当て要求受信状況を予測して時間帯別有効期間テーブル１１０２を作成する。作成した時間帯別有効期間テーブル１１０２を記憶部５０１に格納し、該テーブルを元に有効期間を設定してアドレス割り当て処理部５０２に通知する。時間帯別有効期間テーブル１１０２が存在する場合は、時間帯別有効期間テーブル１１０２を元に有効期間を設定してアドレス割り当て処理部５０２に通知する。なお、ここでは時間帯別有効期間テーブル１１０２は、一日のある時間に記憶部５０１に格納されている統計情報１１０１を参照して自動的に生成され、一定の時間を元に更新されるものとする。
【００７９】
図１３は、本発明の実施の形態２におけるＤＨＣＰサーバ１００の有効期間設定処理および有効期間延長処理に関する制御フローチャートである。
【００８０】
有効期間設定処理および有効期間延長処理以外の処理は、図６および図７に記載のステップと同様であり、ここでは省略する。
【００８１】
有効期間設定部５０３は、アドレス割り当て処理部５０２から有効期間設定指示を受けると、記憶部５０１にその日一日の時間帯別有効期間テーブル１１０２が存在するか否かを判断する（ステップＳ１３０１）。時間帯別有効期間テーブル１１０２が存在する場合は、時間帯別有効期間テーブル１１０２を参照しアドレス割り当て要求のあった時間帯に定められた有効期間を設定する（ステップＳ１３０２）。時間帯別有効期間テーブル１１０２が存在しない場合は、有効期間設定部５０３は、記憶部５０１に格納されている統計情報１１０１を参照し、その日一日の時間帯別のアドレス割り当て受信状況を予測して時間帯別有効期間テーブル１１０２を作成する（ステップＳ１３０３）。作成した時間帯別有効期間テーブル１１０２を記憶部５０３に格納し、アドレス割り当て要求のあった時間帯に定められた有効期間を設定する（ステップＳ１３０２）。
【００８２】
有効期間設定部５０３は、アドレス割り当て処理部５０２から延長する有効期間の設定指示を受けると、記憶部５０１にその日一日の時間帯別有効期間テーブル１１０２が存在するか否かを判断する（ステップＳ１３０１）。時間帯別有効期間テーブル１１０２が存在する場合は、時間帯別有効期間テーブル１１０２を参照しアドレス延長要求のあった時間帯に定められた有効期間を延長する有効期間として設定する（ステップＳ１３０２）。時間帯別有効期間テーブル１１０２が存在しない場合は、有効期間設定部５０３は、記憶部５０１に格納されている統計情報１１０１を参照し、その日一日の時間帯別のアドレス割り当て要求受信状況を予測して時間帯別有効期間テーブル１１０２を作成する（ステップＳ１３０３）。作成した時間帯別有効期間テーブル１１０２を記憶部５０３に格納し、アドレス延長要求のあった時間帯に定められた有効期間を延長する有効期間として設定する（ステップＳ１３０２）。
【００８３】
たとえば、統計情報１１０１のアドレス割り当て要求受信回数の月別統計からは、４月と５月はアドレス割り当て要求を受信する回数が多く、２月は少ないことがうかがえる。また、アドレス割り当て要求受信回数の曜日別統計からは月曜日にアドレス割り当て要求を受信する回数が多く、土曜日・日曜日は少ないことがうかがえる。さらに、時間帯別でみると、ＡＭ９：００〜１０：００、１０：００〜１１：００、ＰＭ１：００〜２：００の時間帯がアドレス割り当て要求を受信する回数が多いことがわかる。これらの情報を元に、アドレス割り当て要求を受信する回数が多い時間帯はデフォルトの有効期間よりも有効期間を短く設定し、アドレス割り当て要求を受信する回数が比較的少ない時間帯はデフォルトの有効期間もしくは、デフォルトの有効期間よりも長い有効期間を設定するように時間帯別有効期間テーブル１１０２を作成する。
【００８４】
以下、このような環境において、記憶部５０１の統計情報を参照して作成した時間帯別有効期間テーブル１１０２が図１４であるとして、ＤＨＣＰサーバ１００がどのように動作するかを以下に示す。
【００８５】
ＤＨＣＰサーバ１００は、ＶｏＩＰ端末１０２からＰＭ４：４０にアドレス割り当て要求を受けると、その日の時間帯別有効期間テーブルが格納されているか記憶部５０１を確認する。図１４に示す時間帯別有効期間テーブル１１０２が存在するので、アドレス割り当て要求を受けた時間ＰＭ４：４０が含まれる時間帯、ＰＭ４〜５を参照し、有効期間２５ｍｉｎを設定してＶｏＩＰ１０２端末にＩＰアドレスＡＤＤＲ２を割り当てる。
【００８６】
なお、受信したアドレス割り当て要求は翌日以降に参照する統計情報１１０１に反映され、時間帯別有効期間テーブル１１０２作成のために使用される。
【００８７】
延長する有効期間についても同様に、時間帯別有効期間テーブル１１０２を参照して延長する有効期間を決定してアドレスを割り当てる。
【００８８】
かかる構成によれば統計情報を用いて学習しながら有効期間を決定することにより、ＩＰアドレスが不足する時間を予測できるのでＩＰアドレスの不足をより事前に防止できる。
【００８９】
また、時間帯別有効期間テーブルを参照して有効期間を設定することにより、一度テーブルを作成すればそれ以降は参照して有効期間を設定するだけでよく、アドレス割り当て要求受信の都度有効期間を検討しなければいけない処理を省略でき、アドレス配布の効率化をはかることもできる。
【００９０】
なお、本実施の形態において、その日一日の時間帯ごとに有効期間を決定する時間帯別有効期間テーブルが存在するとして説明したが、曜日ごとなどより大きい範囲、また３０分ごとなどより細かい範囲で有効期間を決定したテーブルでも構わない。また、時間帯別の有効期間を決定したテーブルを使用せずに、都度過去の統計を参考に決定しても構わない。
【００９１】
（実施の形態３）
次に、本発明の実施の形態３について説明する。
【００９２】
前述した実施の形態１では、割り当て済みＩＰアドレス数または割り当て可能なＩＰアドレス数の現在値を用いてＩＰアドレスの有効期間および延長する有効期間を決定するように構成している。これに対し、実施の形態３では、ユーザがＤＨＣＰサーバに登録したスケジュールに応じて有効期間を決定することを可能とする。
【００９３】
図１５は、本発明の実施の形態３におけるＤＨＣＰサーバ１００の機能構成を示すブロック図である。図１５に示す機能ブロック図は、図５に示すブロック図と比較し、記憶部５０１にスケジュールテーブル１５０１を備えている点で相違する。その他の構成要素は、図５と同様であるため、図５と同様の構成要素には同一の符号を付し、詳細な説明は省略する。
【００９４】
図１６に本発明の実施の形態３における揮発性メモリ３０２がもつスケジュールテーブルの例を示す。図１６では、一日ごと１ヶ月単位でスケジュールを管理する例を示している。なお、スケジュールテーブル１５０１の管理方法はこれに限らず、本発明を実装するＤＨＣＰサーバの仕様に従うものとする。なお、本実施の形態ではスケジュールテーブル１５０１は揮発性メモリ３０２がもつとして説明するが、不揮発性メモリ３０３がもってもよい。
【００９５】
ＤＨＣＰサーバ１００の管理者は、ＤＨＣＰサーバ１００を操作するツールなどを用いて、ＤＨＣＰサーバ１００にスケジュールを設定する。スケジュールでは、例えば、大規模な会議がある日や人通りが多くなる時間帯、逆に人通りが少ないとわかっている日程や時間帯などを入力しておく。
【００９６】
有効期間設定部５０３は、アドレス割り当て処理部５０２から有効期間設定指示を受けると、記憶部５０１に格納されているスケジュールテーブル１５０１を参照し、その日のスケジュールが登録されているか否かを判断する。スケジュールが登録されていない場合は、デフォルトの有効期間を設定し、アドレス割り当て処理部５０２に設定した有効期間を通知する。一方、スケジュールが登録されている場合は、有効期間をデフォルト値から変更し、アドレス割り当て処理部５０２に設定した有効期間を通知する。
【００９７】
図１７は本発明の実施の形態３におけるＤＨＣＰサーバ１００の有効期間設定処理に関する制御フローチャートである。
【００９８】
有効期間設定処理および有効期間延長処理以外の処理は、図６および図７に記載のステップと同様であり、ここでは省略する。
【００９９】
有効期間設定部５０３は、アドレス割り当て処理部５０２から有効期間設定指示を受けると、その日のスケジュールが登録されているかどうか記憶部５０１に格納されているスケジュールテーブルを検索する（ステップＳ１７０１）。スケジュールが登録されていない場合は、割り当て可能なＩＰアドレスにデフォルトの有効期間を設定する（ステップＳ１７０２）。スケジュールが登録されている場合は、有効期間をデフォルト値から変更する（ステップＳ１７０３）。
【０１００】
図１８は、本発明の実施の形態３におけるＤＨＣＰサーバ１００の有効期間延長処理に関する制御フローチャートである。
【０１０１】
有効期間設定部５０３は、アドレス割り当て処理部５０２から有効期間延長指示を受けると、その日のスケジュールが登録されているかどうか記憶部５０１に格納されているスケジュールテーブルを検索する（ステップＳ１８０１）。スケジュールが登録されていない場合は、割り当て可能なＩＰアドレスに前回と同じ有効期間を設定する（ステップＳ１８０２）。スケジュールが登録されている場合は、前回割り当て時の有効期間から有効期間を変更する（ステップＳ１８０３）。
【０１０２】
以下、このような環境において、ＤＨＣＰサーバ１００の管理者が登録したスケジュールテーブル１５０１が図１５であるとして、ＤＨＣＰサーバ１００がどのように動作するかを以下に示す。
【０１０３】
ＤＨＣＰサーバ１００がＶｏＩＰ端末１０１からアドレス割り当て要求を受けたのは４月１１日の１１時１０分だとする。ＤＨＣＰサーバ１００は、アドレス割り当て要求を受けると、受信した時間帯に関するスケジュールが登録されているかどうか、記憶部５０１のスケジュールテーブル１５０１を検索する。４月１１日の１１時には何もスケジュールが登録されていないが、４月のスケジュールでは１２時〜１３時が昼混雑時間帯として設定されている。よって、この後アドレス割り当てが頻繁に発生することが予想されるので、有効期間の変更幅を大きくして（例えばデフォルト６０ｍｉｎに対し３０ｍｉｎ）設定し、ＶｏＩＰ端末１０１にＩＰアドレスＡＤＤＲ１を割り当てる。
【０１０４】
次にＤＨＣＰサーバ１００は、４月１１日の１７時３０分にＶｏＩＰ端末１０２からアドレス割り当て要求を受けたとする。ＤＨＣＰサーバ１００は、同様にスケジュールが登録されていないか記憶部５０１のスケジュールテーブル１５０１を検索する。この日はこの後は特にアドレス割り当てが頻繁に発生する予定がないため、デフォルトの有効期間（６０ｍｉｎ）を設定し、ＶｏＩＰ端末１０２にＩＰアドレスＡＤＤＲ２を割り当てる。
【０１０５】
このように管理者によって入力されたスケジュールの内容に基づいて、この先のアドレス割り当て発生頻度を予想して、有効期間を設定しＩＰアドレスを割り当てる。例えば、大規模な会議がある日や人通りが多くなる時間帯などが入力されている場合は、その前後の時間帯はアドレス割り当てが頻繁に発生すると予想して有効期間をデフォルト値より短く設定し、逆にスケジュールが何も登録されていない日や比較的少ないと登録されている時間帯はデフォルトの有効期間もしくは、デフォルトの有効期間よりも長い有効期間を設定するようにし、ＩＰアドレスの不足が予想される時間帯の前から有効期間を調整してＩＰアドレスを割り当てる。
【０１０６】
かかる構成によれば、あらかじめ定められたスケジュールに応じて事前に有効期間を調整することができ、アドレス不足の可能性を軽減させることが可能である。
【産業上の利用可能性】
【０１０７】
本発明にかかる通信アドレス管理装置は、状況や環境に応じて有効期間を決定することができるので、自由に移動しながら端末を使用できる環境における通信アドレス管理装置として有用である。また、割り当てられるＩＰアドレス数が少ない環境下においても有効である。
【図面の簡単な説明】
【０１０８】
【図１】本発明の実施の形態１における通信アドレス管理装置が適用されるネットワークシステムの構成を示すブロック図
【図２】従来の通信アドレス管理方式を適用した車輌内ＬＡＮシステムの構成を示すブロック図
【図３】本発明の実施の形態１におけるＤＨＣＰサーバのハードウェア構成を示すブロック図
【図４】本発明の実施の形態１におけるアドレス管理テーブルの例を示す図
【図５】本発明の実施の形態１におけるＤＨＣＰサーバの機能構成を示すブロック図
【図６】本発明の実施の形態１におけるＤＨＣＰサーバの動作のフローチャート
【図７】本発明の実施の形態１におけるＤＨＣＰサーバの通信アドレス割り当て処理のフローチャート
【図８】本発明の実施の形態１におけるＤＨＣＰサーバの有効期間設定処理のフローチャート
【図９】本発明の実施の形態１におけるＤＨＣＰサーバの有効期間延長処理のフローチャート
【図１０】本発明の実施の形態１におけるアドレス管理テーブルの例を示す図
【図１１】本発明の実施の形態２における統計情報の例を示す図
【図１２】本発明の実施の形態２におけるＤＨＣＰサーバの機能構成を示すブロック図
【図１３】本発明の実施の形態２におけるＤＨＣＰサーバの有効期間設定処理および有効期間延長処理のフローチャート
【図１４】本発明の実施の形態２における時間帯別有効期間テーブルの例を示す図
【図１５】本発明の実施の形態３におけるＤＨＣＰサーバの機能構成を示すブロック図
【図１６】本発明の実施の形態３におけるスケジュールテーブルの例を示す図
【図１７】本発明の実施の形態３におけるＤＨＣＰサーバの有効期間設定処理のフローチャート
【図１８】本発明の実施の形態３におけるＤＨＣＰサーバの有効期間延長処理のフローチャート
【符号の説明】
【０１０９】
１００    ＤＨＣＰサーバ
１０１〜１０５    ＶｏＩＰ端末
１０６    ＡＰ
３０１    ＣＰＵ
３０２    揮発性メモリ
３０３    不揮発性メモリ
３０４    通信部
５０１    記憶部
５０２    アドレス割り当て処理部
５０３    有効期間設定部
５０４    送信部
５０５    受信部
５０７    アドレス管理テーブル
１２０１    統計情報
１２０２    時間帯別有効期間テーブル
【図１】
2006345138.tif 000003
【図２】
2006345138.tif 000004
【図３】
2006345138.tif 000005
【図４】
2006345138.tif 000006
【図５】
2006345138.tif 000007
【図６】
2006345138.tif 000008
【図７】
2006345138.tif 000009
【図８】
2006345138.tif 000010
【図９】
2006345138.tif 000011
【図１０】
2006345138.tif 000012
【図１１】
2006345138.tif 000013
【図１２】
2006345138.tif 000014
【図１３】
2006345138.tif 000015
【図１４】
2006345138.tif 000016
【図１５】
2006345138.tif 000017
【図１６】
2006345138.tif 000018
【図１７】
2006345138.tif 000019
【図１８】
2006345138.tif 000020